【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
自己浄化性コーティングであって、
約１０〜約１００重量パーセントの範囲の固形物を有し、少なくとも一体積割合の自由空間を有するポリウレタン成分と、
化学活性物と、
生物活性物と
を含むコーティング。
【請求項２】
化学活性物は、Ｎ−ハラミン、有機リン加水分解酵素、及びハロアルカン脱ハロゲン酵素からなるグループから選択される、請求項１に記載の自己浄化性コーティング。
【請求項３】
生物活性物は、シラン第四アンモニウム化合物、アンモニウム含有ポリマー、無機銀及び亜鉛イオン含有ゼオライト、無機銀及び亜鉛イオン含有ガラス、並びにＮ−ハラミンからなるグループから選択される、請求項１または２に記載の自己浄化性コーティング。
【請求項４】
化学剤耐性コーティングである、請求項１ないし３の何れか一項に記載の自己浄化性コーティング。
【請求項５】
航空機、回転翼機、ビークル、機器品目、又は建築物の外面に塗布される、請求項１ないし３の何れか一項に記載の自己浄化性コーティング。
【請求項６】
航空機、回転翼機、ビークル、機器品目、又は建築物の内面に塗布される、請求項１ないし３の何れか一項に記載の自己浄化性コーティング。
【請求項７】
内面が、内部のエア・ダクト表面、内部の客室表面、及び内部の貨物倉表面を含むグループから選択される、請求項６に記載の自己浄化性コーティング。
【請求項８】
化学剤及び生物剤の輸送を削減する方法であって、
約１０〜約１００重量パーセントの範囲の固形物を有し、少なくとも一体積割合の自由空間を有するポリウレタン成分、化学活性物、及び生物活性物を含む自己浄化性コーティングを提供するステップ、並びに
コーティングを、航空機、回転翼機、ビークル、機器品目、又は建築物の表面に塗布するステップ
を含む方法。
【請求項９】
化学活性物は、Ｎ−ハラミン、有機リン加水分解酵素、及びハロアルカン脱ハロゲン酵素からなるグループから選択される、請求項８に記載の方法。
【請求項１０】
生物活性物は、シラン第四アンモニウム化合物、アンモニウム含有ポリマー、無機銀及び亜鉛イオン含有ゼオライト、無機銀及び亜鉛イオン含有ガラス、並びにＮ−ハラミンからなるグループから選択される、請求項８または９に記載の方法。
【請求項１１】
コーティングが、航空機、回転翼機、ビークル、機器品目、又は建築物の外面に塗布される、請求項８ないし１０の何れか一項に記載の方法。
【請求項１２】
コーティングが、航空機、回転翼機、ビークル、機器品目、又は建築物の内面に塗布され、さらに、内面は内部のエア・ダクト表面、内部の客室表面、及び内部の貨物倉表面を含むグループから選択される、請求項８ないし１０の何れか一項に記載の方法。
【手続補正２】
【補正対象書類名】明細書
【補正対象項目名】００３７
【補正方法】変更
【補正の内容】
【００３７】
本開示に関連する当業者は、前述の説明と関連する図面に示される教示の利点を有する、本開示の多数の変更及び他の実施形態を発想するだろう。したがって、当然ながら本開示は開示された特定の実施形態に限定されるものではなく、変更及び他の実施形態は添付の請求項の範囲内に含まれるものである。本明細書では特定の用語が用いられているが、これらの用語は総称的及び記述的な意味でのみ使用されており、限定するためのものではない。
また、本願は以下に記載する態様を含む。
（態様１）
自己浄化性コーティングであって、
約１０〜約１００重量パーセントの範囲の固形物を有し、少なくとも一体積割合の自由空間を有するポリウレタン成分と、
化学活性物と、
生物活性物と
を含むコーティング。
（態様２）
化学活性物は、Ｎ−ハラミン、有機リン加水分解酵素、及びハロアルカン脱ハロゲン酵素からなるグループから選択される、態様１に記載の自己浄化性コーティング。
（態様３）
生物活性物は、シラン第四アンモニウム化合物、アンモニウム含有ポリマー、無機銀及び亜鉛イオン含有ゼオライト、無機銀及び亜鉛イオン含有ガラス、並びにＮ−ハラミンからなるグループから選択される、態様１に記載の自己浄化性コーティング。
（態様４）
化学剤耐性コーティングである、態様１に記載の自己浄化性コーティング。
（態様５）
航空機、回転翼機、ビークル、機器品目、又は建築物の外面に塗布される、態様１に記載の自己浄化性コーティング。
（態様６）
航空機、回転翼機、ビークル、機器品目、又は建築物の内面に塗布される、態様１に記載の自己浄化性コーティング。
（態様７）
内面が、内部のエア・ダクト表面、内部の客室表面、及び内部の貨物倉表面を含むグループから選択される、態様６に記載の自己浄化性コーティング。
（態様８）
固形分が約４０〜約６０重量パーセントの範囲である、態様１に記載の自己浄化性コーティング。
（態様９）
ポリウレタン成分が、約１０〜約６０体積割合の範囲の乾燥多孔性を有する、態様１に記載の自己浄化性コーティング。
（態様１０）
自己浄化性コーティングであって、
約１０〜約１００重量パーセントの範囲の固形物を有し、少なくとも一体積割合の自由空間を有するポリウレタン成分と、
生物活性物と
を含むコーティング。
（態様１１）
生物活性物は、シラン第四アンモニウム化合物、アンモニウム含有ポリマー、無機銀及び亜鉛イオン含有ゼオライト、無機銀及び亜鉛イオン含有ガラス、並びにＮ−ハラミンからなるグループから選択される、態様１０に記載の自己浄化性コーティング。
（態様１２）
自己浄化性コーティングであって、
約１０〜約１００重量パーセントの範囲の固形物を有し、少なくとも一体積割合の自由空間を有するポリウレタン成分と、
化学活性物と
を含むコーティング。
（態様１３）
化学活性物は、Ｎ−ハラミン、有機リン加水分解酵素、及びハロアルカン脱ハロゲン酵素からなるグループから選択される、態様１２に記載の自己浄化性コーティング。
（態様１４）
自己浄化性塗料であって、
約１０〜約６０体積割合の範囲の乾燥多孔性を有するポリウレタン成分と、
化学活性物と、
生物活性物と
を含み、
塗料の表面に接触する化学剤及び生物剤を自己浄化する塗料。
（態様１５）
化学活性物は、Ｎ−ハラミン、有機リン加水分解酵素、及びハロアルカン脱ハロゲン酵素からなるグループから選択される、態様１４に記載の塗料。
（態様１６）
生物活性物は、シラン第四アンモニウム化合物、アンモニウム含有ポリマー、無機銀及び亜鉛イオン含有ゼオライト、無機銀及び亜鉛イオン含有ガラス、並びにＮ−ハラミンからなるグループから選択される、態様１４に記載の塗料。
（態様１７）
ポリウレタン成分が、約１０〜約１００重量パーセントの範囲の固形物を有する、態様１４に記載の塗料。
（態様１８）
自己浄化性塗料であって、
約１０〜約６０体積割合の範囲の乾燥多孔性を有するポリウレタン成分と、
生物活性物と
を含み、
塗料の表面に接触する生物剤を自己浄化する塗料。
（態様１９）
生物活性物は、シラン第四アンモニウム化合物、アンモニウム含有ポリマー、無機銀及び亜鉛イオン含有ゼオライト、無機銀及び亜鉛イオン含有ガラス、並びにＮ−ハラミンからなるグループから選択される、態様１８に記載の塗料。
（態様２０）
自己浄化性塗料であって、
約１０〜約６０体積割合の範囲の乾燥多孔性を有するポリウレタン成分と、
化学活性物と
を含み、
塗料の表面に接触する化学剤を自己浄化する塗料。
（態様２１）
化学活性物は、Ｎ−ハラミン、有機リン加水分解酵素、及びハロアルカン脱ハロゲン酵素からなるグループから選択される、態様２０に記載の塗料。
（態様２２）
化学剤及び生物剤の輸送を削減する方法であって、
約１０〜約１００重量パーセントの範囲の固形物を有し、少なくとも一体積割合の自由空間を有するポリウレタン成分、化学活性物、及び生物活性物を含む自己浄化性コーティングを提供するステップ、並びに
コーティングを、航空機、回転翼機、ビークル、機器品目、又は建築物の表面に塗布するステップ
を含む方法。
（態様２３）
コーティングが、航空機、回転翼機、ビークル、機器品目、又は建築物の外面に塗布される、態様２２に記載の方法。
（態様２４）
コーティングが、航空機、回転翼機、ビークル、機器品目、又は建築物の内面に塗布され、さらに、内面は内部のエア・ダクト表面、内部の客室表面、及び内部の貨物倉表面を含むグループから選択される、態様２２に記載の方法。
（態様２５）
化学活性物は、Ｎ−ハラミン、有機リン加水分解酵素、及びハロアルカン脱ハロゲン酵素からなるグループから選択される、態様２２に記載の方法。
（態様２６）
生物活性物は、シラン第四アンモニウム化合物、アンモニウム含有ポリマー、無機銀及び亜鉛イオン含有ゼオライト、無機銀及び亜鉛イオン含有ガラス、並びにＮ−ハラミンからなるグループから選択される、態様２２に記載の方法。
（態様２７）
化学剤及び生物剤の輸送を削減する方法であって、
化学剤及び生物剤耐性塗料を移動ビークルに塗布することを含み、この塗料が、（ａ）約１０〜約１００重量パーセントの範囲の固形物を有し、少なくとも一体積割合の自由空間を有するポリウレタン成分と、（ｂ）化学活性物と、（ｃ）生物活性物とを含み、且つ塗料の表面に接触する化学剤及び生物剤を自己浄化する、方法。
（態様２８）
化学活性物は、Ｎ−ハラミン、有機リン加水分解酵素、及びハロアルカン脱ハロゲン酵素からなるグループから選択される、態様２７に記載の方法。
（態様２９）
生物活性物は、シラン第四アンモニウム化合物、アンモニウム含有ポリマー、無機銀及び亜鉛イオン含有ゼオライト、無機銀及び亜鉛イオン含有ガラス、並びにＮ−ハラミンからなるグループから選択される、態様２７に記載の方法。
（態様３０）
生物剤耐性塗料を移動ビークルに塗布することを含む生物剤の輸送削減方法であって、この塗料が、（ａ）約１０〜約１００重量パーセントの範囲の固形物を有し、少なくとも一体積割合の自由空間を有するポリウレタン成分と、（ｂ）生物活性物とを含み、且つ塗料の表面に接触する生物剤を自己浄化する、方法。
（態様３１）
生物活性物は、シラン第四アンモニウム化合物、アンモニウム含有ポリマー、無機銀及び亜鉛イオン含有ゼオライト、無機銀及び亜鉛イオン含有ガラス、並びにＮ−ハラミンからなるグループから選択される、態様３０に記載の方法。
（態様３２）
化学剤耐性塗料を移動ビークルに塗布することを含む化学剤の輸送削減方法であって、この塗料が、（ａ）約１０〜約１００重量パーセントの範囲の固形物を有し、少なくとも一体積割合の自由空間を有するポリウレタン成分と、（ｂ）化学活性物とを含み、且つ塗料の表面に接触する化学剤を自己浄化する、方法。
（態様３３）
化学活性物は、Ｎ−ハラミン、有機リン加水分解酵素、及びハロアルカン脱ハロゲン酵素からなるグループから選択される、態様３２に記載の方法。